(57)【特許請求の範囲】
【請求項１】
ディスクの記録面に沿って姿勢を保ちながら光ピックアップの平行移動を案内するためのガイドシャフトを再生デッキに対して取り付けて位置決めを行う光ピックアップのガイドシャフト位置決め装置において、
前記再生デッキに取り付けられ、前記ガイドシャフトの一方の端部の先端に当接して当該シャフトを軸方向に付勢すると共に、前記一方の端部の外周部に当接して当該シャフトを水平、かつ軸に直角な方向に付勢する付勢部材と、
前記再生デッキを切り起こして設けられ、前記ガイドシャフトの他方の端部を挿通させる位置決め角穴部と、
前記再生デッキに取り付けられるスピンドルモータべ−ス部を切り起こして設けられ、前記ガイドシャフトの他方の端部の先端に当接する傾斜部とを備え、
前記付勢部材から与えられた軸方向の付勢力により前記他方の端部の先端を前記傾斜部に沿って滑動させて前記他方の端部の外周部を前記位置決め角穴部の隣り合う２辺に当接させることにより、前記他方の端部を前記傾斜部と前記位置決め角穴部で位置決めして支持するようにしたことを特徴とする光ピックアップのガイドシャフト位置決め装置。
【請求項２】
傾斜部を、スピンドルモータべ−ス部に設ける代わりに、再生デッキを切り起して設けたことを特徴とする請求項１記載の光ピックアップのガイドシャフト位置決め装置。
【請求項３】
位置決め角穴部を、再生デッキに設ける代わりに、スピンドルモータべ−ス部を切り起して設けたことを特徴とする請求項１記載の光ピックアップのガイドシャフト位置決め装置。
【請求項４】
傾斜部を、スピンドルモータべ−ス部に設ける代わりに、再生デッキを切り起して設け、
位置決め角穴部を、再生デッキに設ける代わりに、スピンドルモータべ−ス部を切り起して設けたことを特徴とする請求項１記載の光ピックアップのガイドシャフト位置決め装置。
【発明の詳細な説明】
【技術分野】
【０００１】
この発明は、ＣＤやＤＶＤなどの光ディスクを演奏するディスク再生装置に適用する光ピックアップのガイドシャフト位置決め装置に関するものである。
【背景技術】
【０００２】
例えば、ＣＤやＤＶＤなどの光ディスク（以下、ディスクと呼ぶ）を演奏する車載用のディスク再生装置では、ディスクを出し入れするトレイを持たず、ディスクを直接スリット状の挿脱口に挿入するスロットイン方式が採用されている。この方式では、スリット状の挿脱口からディスクが挿入されると、予め決めたディスクの挿入位置でディスクの外縁を検出して搬送ローラを回転させ、当該搬送ローラとディスクガイドでディスクを挟んで光ピックアップがあるセンタの再生位置まで搬送し、ディスクを搬送ローラおよびディスクガイドから開放して上から降りてきたクランパによりターンテーブルにクランプする。クランプされたディスクがスピンドルモータにより回転されると、光ピックアップをディスクの半径方向に移動させて記録面を読み取り、再生を行う。
【０００３】
ディスクが上記再生位置にあるときの再生デッキの状態を図４に示す。この図は、説明を容易にするため、この発明に関連する部分について主に示しており、上記搬送ローラ、ディスクガイド、クランパなどは省略されているものとする。
挿入されたディスク１１は矢印Ａ方向に搬送され、図に示す再生位置でクランプされる。すると、再生デッキ６のロックが解除状態になり、ターンテーブル７を回転させるスピンドルモータ１８が駆動し、ターンテーブル７にクランプされたディスク１１が回転し、再生デッキ６の開口６１に配置された光ピックアップ１０によりディスク１１の記録データの読み取りが始まる。光ピックアップ１０は、再生デッキ６に取付けられた２本のガイドシャフト（主ガイドシャフト１２と副ガイドシャフト１３）によって開口６１に跨って滑動するように支持され、ディスク１１の記録面と平行に該ディスクの半径方向に移動可能となっている。光ピックアップ１０は、再生時には矢印Ｂのように記録面の内周側から外周側に向かって記録面に対して平行移動する。この光ピックアップ１０の駆動は、再生デッキ６に取付けられたピックアップモータ１４で光ピックアップ１０の移動方向に延びるリードスクリュー２０を回転させ、この回転を、光ピックアップ１０の主ガイドシャフト１２側の側部に設けられ、リードスクリュー２０に螺合するナット部材２１で直線運動に変換することで行われる。また、光ピックアップ１０を駆動する他の例として、光ピックアップ１０の側部に移動方向に延びるラックを取り付け、ギア列を介したピックアップモータの回転をラックで直線運動に変換するものもある。
【０００４】
ところで、ガイドシャフト１２，１３は、光ピックアップ１０の対物レンズ１０１の光軸（以下、光ピックアップの光軸とする）をディスク記録面に垂直となるようにディスク記録面に対して垂直な方向にのみ移動可能に支持されている。副ガイドシャフト１３は光ピックアップ１０がディスク１１の内周側と外周側でそれぞれ高さ調整が可能なように支持されている。一方、主ガイドシャフト１２はターンテーブル７のディスク搭載平面に対して垂直調整するため、ディスク外周側の片端のみ高さ調整が可能に支持されている。
再生デッキ６に組立てられた後の光ピックアップ１０の姿勢保持は、基本的には主ガイドシャフト１２とピックアップ駆動機構で決まる。そのため、主ガイドシャフト１２を光ピックアップ１０の側面部に設けた孔に挿通させる係合構造が用いられる。また、振動や揺れによる姿勢変化は副ガイドシャフト１３により抑えられる。そのため、副ガイドシャフト１３を光ピックアップ１０の他方の側面部に設けた例えばコ字状溝にはめ込む係合構造が用いられる。光ピックアップ１０を組み立てる場合、最初に、主ガイドシャフト１２を挿通した光ピックアップ１０を、既に再生デッキ６に支持されている副ガイドシャフト１３に係合し、次に主ガイドシャフト１２を再生デッキ６に取り付けて位置決めし、最終的に光ピックアップ１０をその駆動機構と結合する。したがって、主ガイドシャフト１２の位置決めは重要となる。
【０００５】
光ピックアップを再生デッキ上に組み立ての際にディスク記録面に対して光ピックアップの光軸を垂直にするための主ガイドシャフトの位置決め機構の従来例として、シャーシ（再生デッキ）上に、主ガイドシャフトを調整機構に向けて付勢するとともに、主ガイドシャフトの長手方向に沿う外向きの移動を規制する押さえ部材を取り付け、この押さえ部材の近傍に位置するように支持部材を取り付け、この支持部材には側方に主ガイドシャフトが通過可能な切欠きを形成し、押さえ部材には、主ガイドシャフトが上記切欠きから脱出することを防ぐ当接片を設けたものがある（例えば特許文献１参照）。
【０００６】
【特許文献１】特開２００５−５０３９８号公報
【発明の開示】
【発明が解決しようとする課題】
【０００７】
以上のように、ディスクと光ピックアップの位置精度がディスク読み取り精度に影響を及ぼすため、光ピックアップの平行移動を案内する主ガイドシャフトの取り付け位置精度は重要である。従来の主ガイドシャフトの位置決め方法は、ガイドシャフトに尖端を設けたり、特許文献１に見られるように位置決め部材として複数の別部材を用いてガイドシャフトを規制したり、高さを調整している。そのため、ガイドシャフトの加工を必要としたり、あるいは部品点数が多く、組立作業を面倒にしたりして、コストアップの原因になっていた。
【０００８】
この発明は、上記問題点を解決するためになされたもので、組立作業を容易にし、かつ既存の構成部材と一体成型した位置決め部材を用いて取り付け位置精度を向上させる光ピックアップのガイドシャフト位置決め装置を得ることである。
【課題を解決するための手段】
【０００９】
この発明に係る光ピックアップのガイドシャフト位置決め装置は、再生デッキに取り付けられ、ガイドシャフトの一方の端部の先端に当接して当該シャフトを軸方向に付勢すると共に、一方の端部の外周部に当接して当該シャフトを水平、かつ軸に直角な方向に付勢する付勢部材と、再生デッキを切り起こして設けられ、ガイドシャフトの他方の端部を挿通させる位置決め角穴部と、再生デッキに取り付けられるスピンドルモータべ−ス部を切り起こして設けられ、ガイドシャフトの他方の端部の先端に当接する傾斜部とを備え、付勢部材から与えられた軸方向の付勢力により他方の端部の先端を傾斜部に沿って滑動させて他方の端部の外周部を位置決め角穴部の隣り合う２辺に当接させることにより、他方の端部を傾斜部と位置決め角穴部で位置決めして支持するものである。
【発明の効果】
【００１０】
この発明によれば、位置決め角穴部については、ガイドシャフトの他方の端部が当接する２辺の位置を予め正確に決めておけば、角穴の寸法を主ガイドシャフトの直径に対して十分大きくとることができるため、その結果、所定の取り付け位置精度が得られると同時に、組立てる際のガイドシャフトの挿入作業を容易にすることができる。また、再生デッキと一体成型した位置決め角穴部とスピンドルモータベースと一体成型した傾斜部を用いてガイドシャフトの最終的な位置決めをするため、別途位置決め部材を設ける必要がなく、その分コストダウンを図ることができる。
【発明を実施するための最良の形態】
【００１１】
実施の形態１．
図１は、この発明の実施の形態１によるガイドシャフト位置決め機構を示す再生デッキの斜視図である。この図は、上記図４のターンテーブル７の裏面側をみた状態を表しており、光ピックアップは説明上除いてある。また、図２に、図１におけるガイドシャフト位置決め装置の構造部分を拡大して示す。
図１および図２において、再生デッキ６には、主ガイドシャフト１２のディスク外周側に位置させる一方の端部１２Ａの近傍には付勢部材１６が設けられている。付勢部材１６は、主ガイドシャフト１２の一方の端部１２Ａの先端に当接し、当該シャフトを軸方向に付勢する付勢片１６Ａと、一方の端部１２Ａの外周に当接し、当該シャフトを水平、かつ軸に対して直角方向に付勢する付勢片１６Ｂを有している。
【００１２】
一方、主ガイドシャフト１２のディスク内周側に位置させる他方の端部１２Ｂは、再生デッキ６の切り起し片に設けた位置決め角穴部６Ａに挿通されている。再生デッキ６には、スピンドルモータ１８を支持しているスピンドルモータベース部１７が取り付けられている。このスピンドルモータベース部１７を切り起こした傾斜部１７Ａが設けられており、傾斜部１７Ａは主ガイドシャフト１２の他方の端部１２Ｂの先端に当接している。
【００１３】
組立時、主ガイドシャフト１２の一方の端部１２Ａを付勢部材１６側に係止した後、主ガイドシャフト１２の他方の端部１２Ｂを位置決め角穴部６Ａに挿通させる。付勢部材１６により一方の端部１２Ａ側から与えられる軸方向の力により主ガイドシャフト１２の他方の端部１２Ｂの先端は傾斜部１７Ａの斜面に当接して傾斜部１７Ａに沿って滑動し、他方の端部１２Ｂの外周部が位置決め角穴部６Ａの隣り合う２辺に当接する。このとき、軸方向の力は、図３に示すように、軸方向に垂直な２方向の分力Ｆｘ、Ｆｙと傾斜部１７Ａの接触点方向の力に分散される。この分力Ｆｘ、Ｆｙが主ガイドシャフト１２の他方の端部１２Ｂの外周部を位置決め角穴部６Ａの隣り合う辺の２点に当接させている。したがって、主ガイドシャフト１２の他方の端部１２Ｂは、傾斜部１７Ａとの当接点と位置決め角穴部の隣り合う辺の当接点の３点で位置決めされ支持される。
再生デッキ６の切り起し片に設けた位置決め角穴部６Ａは、位置決めのために主ガイドシャフト１２が当接する２辺のみ使用するため、この２辺の寸法精度のみが必要であり、位置決め角穴部６Ａの縦方向寸法Ｃ、横方向寸法Ｄは主ガイドシャフト１２の直径に対しして十分大きくとることが可能である。その結果、主ガイドシャフト１２を位置決め角穴部６Ａに挿入して組立てる際の作業が容易となる。
【００１４】
以上のように、この実施の形態１によれば、再生デッキ６に取り付けられた付勢部材１６を、主ガイドシャフト１２の一方の端部１２Ａの先端に当接して当該シャフトを軸方向に付勢すると共に、一方の端部１２Ａの外周部に当接して当該シャフトを水平、かつ軸に直角な方向に付勢し、再生デッキ６を切り起こして設けた位置決め角穴部６Ａに主ガイドシャフト１２の他方の端部１２Ｂを挿通させ、スピンドルモータべ−ス部１７を切り起こして設けた傾斜部１７Ａに主ガイドシャフト１２の他方の端部１２Ｂの先端を当接させるように構成し、付勢部材１６から与えられた軸方向の付勢力により他方の端部１２Ｂの先端を傾斜部１７Ａに沿って滑動させて他方の端部１２Ｂの外周部を位置決め角穴部６Ａの隣り合う２辺に当接させることにより、他方の端部１２Ｂを傾斜部１７と位置決め角穴部６Ａで位置決めして支持するようにしている。したがって、位置決め角穴部６Ａについては、主ガイドシャフト１２の他方の端部１２Ｂが当接する２辺の位置を予め正確に決めておけば、角穴の寸法を主ガイドシャフト１２の直径に対して十分大きくとることができるため、その結果、所定の取り付け位置精度が得られると同時に、組立てる際の主ガイドシャフト１２の挿入作業を容易にすることができる。また、再生デッキと一体成型した位置決め角穴部６Ａとスピンドルモータベースと一体成型した傾斜部１７Ａを用いて主ガイドシャフト１２の最終的な位置決めをするため、従来のように別途位置決め部材を設ける必要がなく、その分コストダウンを図ることができる。
【００１５】
なお、上記例に対して、傾斜部１７Ａを、スピンドルモータべ−ス部１７に設ける代わりに、再生デッキ６を切り起して設けるようにしてもよい。また、上記例に対して、位置決め角穴部６Ａを、再生デッキ６に設ける代わりに、スピンドルモータべ−ス部１７を切り起して設けるようにしてもよい。さらに、上記例に対して、傾斜部１７Ａを再生デッキ６に設け、位置決め角穴部６Ａをスピンドルモータべ−ス部１７に設けるよう入れ替えた構成としてもよい。いずれの場合にも上記実施の形態１と同様な効果を期待できる。
また、付勢部材１６についても、付勢片１６Ａだけでなく、付勢片１６Ｂも再生デッキ６と一体成型にすれば、主ガイドシャフト１２の一方の端部１２Ａ側の部品数も改善することができ、コスト的に有利となる。
【図面の簡単な説明】
【００１６】
【図１】この発明の実施の形態１による光ピックアップのガイドシャフト位置決め装置を含む再生デッキの裏面構造を示す斜視図である。
【図２】図１におけるガイドシャフト位置決め装置の構造を拡大して示す部分斜視図である。
【図３】図２において矢印Ｅ方向を見た場合のガイドシャフトの位置決め状態を示す説明図である。
【図４】再生デッキの構造例を示す平面図である。
【符号の説明】
【００１７】
６  再生デッキ、６Ａ  位置決め角穴部、７  ターンテーブル、  １０  光ピックアップ、１１  ディスク、１２  主ガイドシャフト、１２Ａ，１２Ｂ  主ガイドシャフトの端部、１３  副ガイドシャフト、１６  付勢部材、１６Ａ  付勢片、１６Ｂ  付勢片、１７  スピンドルモータベース部、１７Ａ  傾斜部、１８  スピンドルモータ、２０  リードスクリュー、２１  ナット部材、６１  開口、１０１  対物レンズ。
【図１】
0004785875.tif 000002
【図２】
0004785875.tif 000003
【図３】
0004785875.tif 000004
【図４】
0004785875.tif 000005